(57)【要約】【課題】    回転式の座部を備える椅子において、金属製パイプの背もたれ支持杆を机等に打ち当てて損傷する慮をなくすとともに、背もたれ板と背もたれ支持杆の結合部分における筒状部端部に対する安全面の向上を図る。【解決手段】    背もたれ板の左右両側を、椅子の後部左右両側における上方を向く背もたれ支持杆１１に外嵌して、背もたれ支持杆１１に背もたれ板を取り付けるようにした椅子の背もたれ装置において、背もたれ板の左右両側に、背もたれ支持杆１１と嵌合可能な筒状部１３を下方に向けて設けるとともに、下部が前記背もたれ支持杆１１に嵌合し、かつ上部が前記筒状部１３の下部と嵌合して、この取付部の下部の全外周方向へ突出する緩衝部材１４を設ける。【選択図】        図６
2005192797.tif 000002
【特許請求の範囲】
【請求項１】
背もたれ板の左右両側を、椅子の後部左右両側における上方を向く背もたれ支持杆に嵌合して、背もたれ支持杆に背もたれ板を取り付けるようにした椅子の背もたれ装置において、背もたれ板の左右両側に、背もたれ支持杆と嵌合可能な取付部を下方に向けて設けるとともに、下部が前記背もたれ支持杆に嵌合し、かつ上部が前記取付部の下部と嵌合して、この取付部の下部の全外周方向へ突出する緩衝部材を設けたことを特徴とする椅子の背もたれ装置。
【請求項２】
前記背もたれ支持杆を、金属製パイプで形成したことを特徴とする請求項１記載の椅子の背もたれ装置。
【請求項３】
前記背もたれ板の左右両側における取付部を、下向きに開口する筒状部とし、この筒状部を、背もたれ支持杆に外嵌させたことを特徴とする請求項１または２記載の椅子の背もたれ装置。  
【請求項４】
前記緩衝部材を、エラストマーで形成したことを特徴とする請求項１〜３のいずれかに記載の椅子の背もたれ装置。
【請求項５】
前記背もたれ板を、合成樹脂製とたことを特徴とする請求項１〜４のいずれかに記載の椅子の背もたれ装置。
【発明の詳細な説明】
【技術分野】
【０００１】
本発明は、背もたれ装置に関し、特に背もたれ板の左右両側を、椅子の後部左右両側における上方を向くパイプ状の背もたれ支持杆に嵌合して、背もたれ板を取り付けるようにした椅子の背もたれ装置に関する。
【背景技術】
【０００２】
従来、前記のようにして背もたれ板を取り付けた椅子は公知である。（たとえば、特許文献１〜５）。
【０００３】
しかし、これらの椅子の座部を机の天板下方の空間内に収容する場合、背もたれ支持杆を机に打ち当てて損傷する場合がある。特に背もたれ支持杆は、充分な強度を確保するため、一般に金属製パイプで形成されているので、机が損傷される慮がある。
【０００４】
また、前記特許文献に具体的に記載されるものは、すべて座部が回転しない椅子であるが、前記背もたれ板の取り付け形態を、たとえば、座部が回転する子供用椅子に適用した場合、悪戯で座部を回転させて、金属製パイプの背もたれ支持杆を机に打ち当てて損傷する慮がある。
【特許文献１】昭和５９年実用新案出願公開第２１２６０号公報（第１図、第２図参照）。
【特許文献２】平成２年実用新案出願公告第３３２９号公報（第８図参照）。
【特許文献３】平成８年特許出願公開第２２８８８２号公報（図２参照）
【特許文献４】平成９年特許出願公開第１２１９７０号公報（図１参照）
【特許文献５】平成１０年特許出願公開第１７９３２５号公報（図９参照）
【発明の開示】
【発明が解決しようとする課題】
【０００５】
本発明は、前記の現状に鑑み、椅子における金属製パイプの背もたれ支持杆が机等に打ち当たることを防止し、回転式の座部を備える椅子に適用した場合においても、金属製パイプの背もたれ支持杆を机等に当衝して損傷する慮をなくし、かつ背もたれ板と背もたれ支持杆の結合部における筒状部端部に保護カバーをなし、安全面の向上を図り得るようにした椅子の背もたれ装置を提供することを目的とする。
【課題を解決するための手段】
【０００６】
本発明によると、上記課題は、次のようにして解決される。
(１)  背もたれ板の左右両側を、椅子の後部左右両側における上方を向く背もたれ支持杆に嵌合して、背もたれ支持杆に背もたれ板を取り付けるようにした椅子の背もたれ装置において、背もたれ板の左右両側に、背もたれ支持杆と嵌合可能な取付部を下方に向けて設けるとともに、下部が前記背もたれ支持杆に嵌合し、かつ上部が前記取付部の下部と嵌合して、この取付部の下部の全外周方向へ突出する緩衝部材を設ける。
(２)  上記(１)項において、前記背もたれ支持杆を、金属製パイプで形成する。
(３)  上記(１)項または(２)項において、前記背もたれ板の左右両側における取付部を、下向きに開口する筒状部とし、この筒状部を、背もたれ支持杆に外嵌する。
(４)  上記(１)項〜(３)項のいずれかにおいて、前記緩衝部材を、エラストマーで形成する。
(５)  上記(１)項〜(４)項のいずれかにおいて、前記背もたれ板を、合成樹脂製とする。
【発明の効果】
【０００７】
本発明によると、次のような効果が奏せられる。
(ａ)  前記(１)項記載の発明によれば、背もたれ支持杆に嵌合させた、背もたれ板の取付部の全外周方向へ突設する緩衝部材を設けてあるため、この緩衝部材が、背もたれ支持杆および背もたれ板の取付部が机等にぶっつかることを防止する作用をなす。
そのため、回転式の座部を備え、金属製パイプの背もたれ支持杆を有す椅子に適用した場合においても、前記支持杆を机等にぶっつけて損傷するような慮はない。
さらに、前記緩衝部材が、背もたれ板の取付部または背もたれ支持杆のパイプ端の保護カバーとして作用しているため、安全面の向上を図ることができる。
【０００８】
(ｂ)  請求項(２)項記載の発明によれば、背もたれ支持杆を金属製パイプで形成することにより、実用上充分な物理的強度を容易に得ることができるとともに、背もたれ支持杆が金属パイプなどの金属製である場合に、本発明の効果が最も効果的に発揮される。
【０００９】
(ｃ)  前記(３)項記載の発明によれば、背もたれ板の取付部を、背もたれ支持杆に簡単に嵌合させて支持させることができるとともに、前記取付部を備える背もたれ板を、合成樹脂を用いた一体成形法により、容易に成形することができる。
【００１０】
(ｄ)  前記(４)項記載の発明によれば、本発明の前記（ａ）項記載の効果を、より良好に得ることができる。
【００１１】
(ｅ)  前記(５)項記載の発明によれば、本発明における背もたれ板を容易に得ることができる。
【発明を実施するための最良の形態】
【００１２】
以下、本発明の実施形態を、図面に基づいて説明する。
【実施例】
【００１３】
図１は、本発明の背もたれ装置を備える椅子の側面図、図２は、同じく正面図である。
前記椅子(１)は、放射状に配設された複数の脚(２)の中心に立設された脚柱(３)を備え、この脚柱(３)内に回動不能に嵌挿されたガススプリング(４)の上端に、支持部材(５)を介して支基(６)が取付けられている。脚柱(３)の上下の中間部において、脚(２)の上方に、足置板(７)が設けられ、子供が使い易いようになっている。
前記支基(６)は、支持部材(５)に対して回動自在になっており、支基(６)の上方には、座シェル(８)とクッション部材(９)とからなる座部(10)が取付けられている。
【００１４】
支基(６)の後部左右には、背もたれ支持杆(11)(11)が取付けられている。
前記背もたれ支持杆(11)は、金属製パイプより形成され、支基(６)の後部左右より、後方上向きに延び、次いで屈曲されて前方上向きに延びる前向きく字状をなし、上端が開口している。
【００１５】
一方、背もたれ板(12)の左右両側には、前記背もたれ支持杆(11)(11)が挿入可能な下向きに開口する筒状部(13)(13)が設けられている。
【００１６】
前記筒状部(13)は、背もたれ板(12)を合成樹脂で成形する際に、一体的に形成される。
【００１７】
前記筒状部(13)は、背もたれ板(12)を、前記背もたれ支持杆(11)に取付けるための取付部として機能し、筒状部(13)を背もたれ支持杆(11)に外嵌させることによって、背もたれ板(12)が背もたれ支持杆(11)に取付けられている。
【００１８】
図３は、図２において一点鎖線枠Ａで示す部分を分解して示す斜視図、図４は、図２におけるＩＶ〜ＩＶ線縦断面図である。
【００１９】
前記筒状部(13)を、背もたれ支持杆(11)に外嵌させた結合部分には、下部が背もたれ支持杆(11)に嵌合し、かつ上部が前記筒状部(13)の下部と嵌合して、この筒状部(13)の下部の全外周方向へ突出する緩衝部材(14)が設けられている。
【００２０】
図５は、緩衝部材(14)の平面図、図６は、図５におけるＶＩ〜ＶＩ線縦断面図である。
図５，図６に示すように、緩衝部材(14)は、中央に貫通孔(15)が設けられたほぼ環状体をなしている。
【００２１】
前記貫通孔(15)は、前記筒状部(13)の下部に嵌合させるための、筒状部(13)の外径とほぼ等しい径を有する上部嵌合孔(15a)と、背もたれ支持杆(11)に嵌合させるための、背もたれ支持杆(11)の外径とほぼ等しい径を有する下部嵌合孔(15b)とよりなり、両者は、連通している。
【００２２】
前記筒状部(13)は、背もたれ支持杆(11)に外嵌されるようになっているため、上部嵌合孔(15a)の半径は、下部嵌合孔(15b)の半径よりも、前記筒状部(13)の肉厚分だけ大きくなっている。
【００２３】
下部嵌合孔(15b)の下端外周壁(15c)は、下方に突出している。
【００２４】
前記緩衝部材(14)は、架橋した天然ゴムや合成ゴム、熱可塑性ウレタンゴム、スパンデックスやポリカーボネートなどの各種弾性樹脂等の常温で大きなゴム弾性を示す高分子物質であるエラストマーより形成されている。
この緩衝部材(14)は、次のようにして、組み付けされる。
【００２５】
まず、図６に示すように、緩衝部材(14)を、上部嵌合孔(15a)を上側、下部嵌合孔(15b)を下側にして、背もたれ支持杆(11)の上下ほぼ中央位置に嵌合させておく。次に、背もたれ板(12)の左右両側下部に設けられている筒状部(13)を、前記背もたれ支持杆(11)に上方から外嵌させる。次いで、前記緩衝部材(14)を上方に移動させて、上部嵌合孔(15a)を筒状部(13)の下端に外嵌させる
【図面の簡単な説明】
【００２６】
【図１】本発明の背もたれ装置を備える椅子の側面図である。
【図２】同じく、正面図である。
【図３】図２において一点鎖線枠Ａで示す部分を分解して示す斜視図である。
【図４】図２におけるＩＶ〜ＩＶ線縦断面図である。
【図５】緩衝部材の平面図である。
【図６】図５におけるＶＩ〜ＶＩ線縦断面図である。
【符号の説明】
【００２７】
(１)  椅子
(２)  脚
(３)  脚柱
(４)  ガススプリング
(５)  支持部材
(６)  支基
(７)  足置板
(８)  座シェル
(９)  クッション部材
(10)  座部
(11)  背もたれ支持杆
(12)  背もたれ板
(13)  筒状部（取付部）
(14)  緩衝部材
(15)  貫通孔
(15a)  上部嵌合孔
(15b)  下部嵌合孔
(15c)  下端外周壁
【図１】
2005192797.tif 000003
【図２】
2005192797.tif 000004
【図３】
2005192797.tif 000005
【図４】
2005192797.tif 000006
【図５】
2005192797.tif 000007
【図６】
2005192797.tif 000008